(57)【要約】【課題】筆記性に優れ、自由な大きさに容易に裁断でき、かつ安価に製造できるホワイトボード用シートを提供すること。【解決手段】本発明のホワイトボード用シート１は、シート基材２と、この基材２の一方の面に接着層５を介して形成された、熱可塑性樹脂フィルム３１を最外層に有する筆記層３と、上記基材２の他方の面に形成された粘着層４とからなり、上記基材２は合成樹脂を構成材料とするニードルパンチフェルト又は発泡体である。【選択図】      図１
2004148589.tif 000002
【特許請求の範囲】
【請求項１】
シート基材と、この基材の一方の面に接着層を介して形成された、熱可塑性樹脂フィルムを最外層に有する筆記層と、前記基材の他方の面に形成された粘着層とからなり、
前記基材は合成樹脂を構成材料とするニードルパンチフェルトであるホワイトボード用シート。
【請求項２】
シート基材と、この基材の一方の面に接着層を介して形成された、熱可塑性樹脂フィルムを最外層に有する筆記層と、前記基材の他方の面に形成された粘着層とからなり、
前記基材は合成樹脂を構成材料とする発泡体であるホワイトボード用シート。
【請求項３】
筆記層は、前記シート基材の一方の面に形成された接着層に対して、紙及び熱可塑性樹脂フィルムが順次積層されたものである請求項１または請求項２に記載のホワイトボード用シート。
【請求項４】
筆記層は、前記シート基材の一方の面に形成された接着層に対して、紙、インク層及び熱可塑性樹脂フィルムが順次積層されたものである請求項１または請求項２に記載のホワイトボード用シート。
【発明の詳細な説明】
【０００１】
【発明の属する技術分野】
本発明は、熱可塑性樹脂フィルムを最外層に有する筆記層と、シート基材を用いたホワイトボード用シートに関する。
【０００２】
【従来の技術】
近年、ホワイトボードと称される、フェルトペン等で書き、布などで拭き取りにより消去可能な筆記板が多用されている。この筆記板のうち、可撓性のあるシート基材の一方の面に筆記層を形成し、該基材の他方の面に再剥離性を有する粘着層を形成した簡易型のホワイトボード（以下、「ホワイトボード用シート」という）も多数開発されている（例えば、特許文献１参照。）。このホワイトボード用シートは、壁などの任意の壁面に貼着することにより、ホワイトボードと同じようにフェルトペン等による書き込みや消去を可能にするものであり、かつ軟質で円筒状に丸めることができるため携帯や収納にも便利である。
【０００３】
【特許文献１】
特開平１０−１３８６９１号公報（第２−４項）
【０００４】
【発明が解決しようとする課題】
しかし、従来のホワイトボード用シートは、基材として可撓性のあるプラスチックシートを用いているため、基材表面に形成された筆記層のクッション性が十分でなく書き味がよくない。この点を改良するため、特許文献１には、基材裏面の粘着層に多数の小凸部等を形成することにより、クッション性を高める技術が開示されている。しかし、粘着層が平滑に構成されていないため、粘着層が壁面に対して不均一に貼着されやすく、この結果筆記層のクッション性が筆記層の全面にわたって均一に付与されないおそれがある。
【０００５】
また、簡易型のホワイトボード用シートには、自由な大きさに容易に裁断でき、かつ安価に製造できることも要求される。
【０００６】
本発明は、かかる事情に鑑みて行なわれたものであり、筆記性に優れ、自由な大きさに容易に裁断でき、かつ安価に製造できるホワイトボード用シートを提供することを主たる目的とするものである。
【０００７】
【課題を解決するための手段】
本発明のホワイトボード用シートは、シート基材と、この基材の一方の面に接着層を介して形成された、熱可塑性樹脂フィルムを最外層に有する筆記層と、上記基材の他方の面に形成された粘着層とからなり、上記基材は合成樹脂を構成材料とするニードルパンチフェルト又は発泡体であることを特徴とする。
【０００８】
本発明では、熱可塑性樹脂フィルムを筆記層に用いることにより、製造コストを低く抑えることができる。また、合成樹脂を構成材料とするニードルパンチフェルト又は発泡体を基材に用いることにより、熱可塑性樹脂フィルムを筆記層の最外層（すなわち、筆記面）とした場合であっても、その筆記面に好適なクッション性が付与されるので、筆記性に優れたものとなる。
【０００９】
また、本発明のホワイトボード用シートは、上記の構成に加えて、筆記層として、上記シート基材の一方の面に形成された接着層に対して、紙及び熱可塑性樹脂フィルムが順次積層されたものが好ましい。
【００１０】
かかる紙を筆記層に用いることにより、筆記面に適度の硬度を付与し、これにより書き味を適宜調節することができる。また、紙は、上記基材の一方の面に形成された接着層に対する接着力が大きいので、本発明のホワイトボード用シートを簡易に製造できる。
【００１１】
また、本発明のホワイトボード用シートは、上記の構成に加えて、筆記層として、上記シート基材の一方の面に形成された接着層に対して、紙、インク層及び熱可塑性樹脂フィルムが順次積層されたものが好ましい。
【００１２】
かかるインク層を設けることにより、無地の筆記面に単に文字等を書き込む使い方だけではなく、あらかじめ罫線、符号、文字、模様その他の情報掲示手段が形成された筆記面に文字等を書き込む使い方ができるようになる。
【００１３】
また、上記の熱可塑性樹脂フィルムとしては、ポリプロピレンを構成材料とすることが好ましい。また、その厚みは、２０〜２００μｍの範囲が好適である。ポリプロピレンを用いることにより、筆記面として、機械的強度、透明性、耐薬品性、防湿性、耐熱性等に優れたものとなる。
【００１４】
また、本発明のホワイトボード用シートは、シート基材の他方の面に形成された粘着層として、アクリル系粘着剤を構成材料とし、その粘着力が３〜２５Ｎ／２０ｍｍの範囲にあるものが好ましい。かかる範囲に粘着力を設定することにより、複数回の貼着及び剥離を行なった場合でも、十分に粘着力を保持することができるとともに、剥離の際に被貼着体を傷付けたり汚したりすることもない。
【００１５】
【発明の実施の形態】
以下、図面を参照しつつ本発明のホワイトボード用シートについて具体的に説明する。図１は本発明のホワイトボード用シートの一実施例を示す断面図である。ホワイトボード用シート１は、基本的な構成要素として、シート基材２と、この基材の一方の面に接着層５を介して形成された筆記層３と、シート基材２の他方の面に形成された粘着層４とを備えている。
【００１６】
シート基材２としては、天然樹脂または合成樹脂を原材料として、ニードルパンチ加工により製造されたフェルト（以下、「ニードルパンチフェルト」という）が好ましく用いられる。ここで、「ニードルパンチ加工」とは、上記樹脂で構成されるウエブを特殊針で無数に刺して交絡させることによりフェルトとしたものをいう。
【００１７】
上記の加工法によって製造されるニードルパンチフェルトは、適度の弾力性を有する。このため、フェルトペン等のペン先が、筆記層３の表面を構成する筆記面に適度に食い込むので、書き味に優れたものとなる。すなわち、優れた筆記性を得るためには、筆記面として、過度に力を加えることなくペン先を走らせることのできる滑性と、筆圧を簡易に調整できる適度の弾力性（クッション性）が要求される。本発明では、シート基材２に弾力性を付与することで、その表面に形成される筆記面に適度の弾力性を付与しようとするものである。
【００１８】
また、ニードルパンチフェルトは、表面が緻密であり、かつ平滑性も高い。このため、接着層５を介してシート基材２と筆記層３とを強く、かつ均一に接着することができる。このため、筆記面の全面にわたって均一な弾力性、すなわちクッション性が付与される。さらに、本発明で用いるニードルパンチフェルトは、円筒状に丸めることが可能な可撓性を有するものである。かかる可撓性を有することにより、ホワイトボード用シートは、携帯や収納に優れたものとなる。
【００１９】
シート基材２の厚みは、筆記層３の筆記面の弾力性を好適に制御できる範囲であれば特に限定されるものではないが、通常は０．５〜３．０ｍｍの範囲が好適であり、０．５〜２．０ｍｍの範囲が更に好適である。また、シート基材２の構成材料は、ニードルパンチフェルトとして公知の材料を用いることができ、例えば、ポリアミド樹脂、フッ素樹脂、ポリエステル樹脂、混毛等を挙げることができる。
【００２０】
本発明者の検討によれば、弾力性の点で、構成材料としてポリエステル樹脂が特に好適であり、また、比較的安価に製造できる。また、ポリエステル樹脂を構成材料とするニードルパンチフェルトとしては、「はるはるシート」の商品名（株式会社田幸）で販売されているものが、好適に利用できる。
【００２１】
また、本発明では、合成樹脂を構成材料とする発泡体が、シート基材２として好ましく用いられる。ここで、「発泡体」とは、樹脂を機械的に攪拌する方法、樹脂に発泡剤を添加して加熱する方法、樹脂に揮発性の溶剤を混和して気化させる方法等により、樹脂内部に小さな気泡を分散させて多孔質にしたものをいう。本発明では、シート基材２の内部に存在する独立気泡または連続気泡が、シート基材２に適度の弾力性（クッション性）を付与する。このため、かかるシート基材２から構成されるホワイトボード用シート１は、書き味に非常に優れたものとなる。
【００２２】
また、発泡体をシート基材２として用いる場合には、シート基材２の表面が緻密で、かつ平滑性の高いものが好ましい。かかる発泡体を用いれば、ニードルパンチフェルトと同様に、筆記面の全面にわたって均一なクッション性が付与される。この筆記面のクッション性は、公知の方法を用いて気泡の大きさを制御することにより適宜調整することができる。このため、発泡体の構成材料に応じて気泡の大きさを設計することにより、筆記面の書き味を適宜調整することができる。ここで、発泡体の構成材料としては公知の材料を用いることができ、例えば、ポリウレタン、ポリエチレン、ポリスチレン、ゴム材料等を挙げることができる。例えば、発泡ポリエチレンとしては、日東電工社製の特殊発泡ポリエチレン（Ｎｏ．５７１１）若しくは発泡硬質ポリエチレン（Ｎｏ．５７５）が好適に使用できる。
【００２３】
筆記層３は、熱可塑性樹脂フィルム３１を最外層に有する一又は複数の層から構成される。すなわち、本発明では、熱可塑性樹脂フィルム３１は、筆記層３の表面を構成するものであり、フェルトペン等のペン先と接触する筆記面となる。また、筆記層３は、上記の熱可塑性樹脂フィルム３１のみからなる単層としてもよいし、あるいは上記の熱可塑性樹脂フィルム３１の内側面に、後述する紙やインク層を積層した多層構造としてもよい。
【００２４】
熱可塑性樹脂フィルム３１を構成する原材料としては、ポリエチレン、ポリプロピレン、ポリエステル、ポリ塩化ビニル、ポリ塩化ビニリデン、ポリカーボネート、ポリスチレン、ポリアミド等の合成樹脂が好ましく用いられ、この中では、機械的強度、透明性、耐薬品性、防湿性、耐熱性等に優れる点で、ポリプロピレン（ＰＰ）が特に好ましく用いられる。また、ＰＰフィルムとしては、無延伸ＰＰ（ＣＰＰ）フィルムまたは二軸延伸ＰＰ（ＣＰＰ）のどちらでも好適に使用できる。
【００２５】
また、熱可塑性樹脂フィルム３１の厚みは、通常２０〜２００μｍの範囲であれば
特に限定されることなく用いることができる。
【００２６】
また、熱可塑性樹脂フィルム３１としてポリエチレンやポリプロピレン等のポリオレフィン系フィルムを用いる場合、画像適性や粘着性を高めるため、フィルム表面にコロナ放電処理を施したものを用いることが好ましい。
【００２７】
また、熱可塑性樹脂フィルム３１を単独で用いる場合には、１５０〜２００μｍの厚みを有するものが好適であり、フィルム成形時に白色顔料を練り込むことにより、あるいは、熱可塑性樹脂フィルムの裏面を白色塗料で塗布することにより、必要に応じて熱可塑性樹脂フィルムを白色に着色することが好ましい。なお、上記の白色顔料または白色塗料は、熱可塑性樹脂フィルムに通常使用される公知の材料を用いればよい。
【００２８】
接着層５は、デンプン系、タンパク質系、樹脂系等の公知の接着剤、またはアクリル系、ゴム系、シリコーン系等の公知の粘着剤が均一に形成されたものである。本発明では、筆記層３の最内層またはシート基材２に対する接着層５の接着力の程度に応じて上述の接着剤または粘着剤を適宜選択することができるが、短時間で圧着により接着することができる点で、粘着剤が特に好適である。
【００２９】
また、本発明では、ホワイトボード用シート１の製造上の便宜から、あらかじめ接着層５が形成されたシート基材２を用いることが好ましい。接着層５をシート基材２の表面に形成させるには、シート基材２を、粘着剤（または接着剤）を含有する粘着液（または接着液）中に浸漬し、その後乾燥させる方法、あるいは不織布シート基材２の表面に粘着剤（または接着剤）を含有する粘着液（または接着液）をローラー、スプレー等で塗布し、その後乾燥させる方法等を採用することができる。
【００３０】
また、紙３２は、主として筆記層３の筆記面に適度の硬度を付与し、これにより筆記性を適宜調節するために必要に応じて用いられるものであり、熱可塑性樹脂フィルム３１の内側面に積層される。本発明では、紙３２の種類は特に限定されるものではなく、また、紙３２の厚みは、筆記面に適度の硬度を付与する観点から、一般には５０〜５００μｍの範囲が好ましい。
【００３１】
また、紙３２と熱可塑性樹脂フィルム３１とからなる筆記層３を採用する場合には、紙３２を白色とし、熱可塑性樹脂フィルム３１を透明とすることが好ましい。このような色構成を採用することにより、一般のホワイトボード用の筆記層として用いることができる。なお、本発明では、紙３２の色は、白色だけに限定されるものではなく、透明の熱可塑性樹脂フィルム３１にフェルトペン等で筆記した文字が外部から視認可能であれば何色に着色してもよい。また、ホワイトボード用シート１の製造に際しては、例えば紙３２と熱可塑性樹脂フィルム３１を公知の方法によりドライラミネートしたラミネート紙を用いることができる。
【００３２】
また、本発明では、図２に示したように、紙３２の表面の一部にインク層３３を形成し、この上から熱可塑性樹脂フィルム３１を積層したホワイトボード用シート１１とすることもできる。なお、本発明においてインク層３３とは、印刷、露光・現像処理、静電転写記録、インクジェット記録等により、紙３２の表面にインクからなる罫線、符号、文字、模様その他の情報掲示手段が形成されたものをいう。このように、インク層３３を設けることにより、無地の筆記面に単に文字等を書き込む使い方だけではなく、あらかじめ形成された所定の情報掲示手段に応じて、筆記面に文字等を書き込む使い方ができるようになる。
【００３３】
なお、図示しないが、筆記層３として紙３２を用いない場合には、最外層としての熱可塑性樹脂フィルム３１の裏面にインク層３３を形成してもよい。この場合、インク層３３の裏面に白色その他の塗料を塗布すれば、あらかじめ形成された所定の情報掲示手段に応じて、筆記面に文字等を書き込む使い方ができる。
【００３４】
粘着層４は、アクリル系、ゴム系、シリコーン系等の公知の粘着剤が均一かつ平滑に形成されたものである。このように粘着剤層４を形成することにより、ホワイトボード用シートを被貼着体に対して均一に貼着することができる。また、本発明のホワイトボード用シートは、壁等の被貼着体に対して複数回の貼着及び剥離を行なった場合でも、被貼着体を傷付けたり、あるいは汚したりすることなく、かつ実用上適度な粘着力を保持する必要がある。このため、粘着層４の粘着力は、３〜２５Ｎ／２０ｍｍの範囲が好ましい。
【００３５】
粘着層４をシート基材２の他の面に形成させるには、シート基材２を、粘着剤を含有する粘着液中に浸漬し、その後乾燥させる方法、あるいはシート基材２の表面に粘着剤を含有する粘着液をローラー、スプレー等で塗布し、その後乾燥させる方法等を採用することができる。したがって、シート基材２の一方の面と他方の面にそれぞれ形成される接着層５と粘着層４として同一の粘着剤を用いれば、製造工程を簡略化することができるので、製造コストを低く抑えることができる。本発明では、ポリエステル樹脂を構成材料とするニードルパンチフェルトをシート基材とし、この基材の両面にアクリル系の粘着剤が塗布された基材（商品名；はるはるシート，株式会社田幸）や、ポリエチレンを構成材料とする発泡体をシート基材とし、この基材の両面にアクリル系の粘着剤が塗布された基材が好適に利用できる。
【００３６】
本発明のホワイトボード用シートは、金属、ガラス、セラミックス、プラスチック、ガラス、紙その他の材質にかかわらず、被貼着体として平滑面を有するものであれば貼着することができる。また、本発明のホワイトボード用シートを構成する筆記層３、接着層５、シート基材２及び粘着層４は、上述した如くそれぞれ特定の材質を用いているため、自由な大きさに容易に裁断できる。
【００３７】
また、本発明のホワイトボード用シートは、シート基材２の一方の面と他方の面に接着層５と粘着層４をそれぞれ形成し、次いで接着層５の上から筆記層３をラミネートすることにより簡易かつ安価に製造することができる。なお、本発明では、粘着層４に対してフィルム、剥離紙等の剥離材を必要に応じて貼着してもよい。かかる剥離材を用いれば、ホワイトボード用シートを円筒状の巻物として使用することができるので、携帯や保管に優れたものとなる。
【００３８】
【実施例】
以下のラミネート紙と基材を用い、ラミネート紙を構成する紙を上記基材の表面に圧着により貼り合わせて、幅３３ｃｍの巻物状のホワイトボード用シートを作成した。次に、このホワイトボード用シートを長さ５０ｃｍに裁断して、剥離材であるポリエチレンフィルムを剥離した状態で、家屋内に設置された冷蔵庫の壁面に貼着してホワイトボードとした。
【００３９】
［ラミネート紙］
幅３３ｃｍ，厚み１００μｍの紙と幅３３ｃｍ，厚み５０μｍの無延伸ＰＰフィルムをドライラミネートにより貼り合わせたラミネート紙。
［基材］
ポリエステルを構成材料とするニードルパンチフェルトからなる、幅３３ｃｍ，厚み１．８ｍｍのシート基材の表裏両面に同一のアクリル系粘着剤からなる粘着層が均一に形成され、基材裏面の粘着層にポリエチレン（ＰＥ）フィルムが剥離材として貼着された基材（商品名；はるはるシート，株式会社田幸製）。
【００４０】
筆記面となるＰＰフィルムにフェルトペンで文字と図形を筆記したところ、ペン先が筆記面に適度に食い込み、書き味が非常に優れていることが確認された。また、１週間毎に貼着と剥離をそれぞれ５回繰り返したところ、１回目と５回目とで粘着剤層の粘着力に変化なく、実用上問題なく使用できることが確認された。
【００４１】
【発明の効果】
以上説明したように、本発明のホワイトボード用シートは、合成樹脂を構成材料とするニードルパンチフェルトであるシート基材と、この基材の一方の面に接着層を介して形成された、熱可塑性樹脂フィルムを最外層に有する筆記層と、前記基材の他方の面に形成された粘着層とから構成されるので、筆記性に優れ、自由な大きさに容易に裁断でき、かつ安価に製造することができる。
【図面の簡単な説明】
【図１】本発明のホワイトボード用シートの一実施例を示す断面図である。
【図２】本発明のホワイトボード用シートの他の実施例を示す断面図である。
【符号の説明】
１，１１  ホワイトボード用シート
２  シート基材
３  筆記層
３１  熱可塑性樹脂フィルム
３２  紙
３３  インク層
４  粘着層
５  接着層
【図１】
2004148589.tif 000003
【図２】
2004148589.tif 000004